(57)【要約】【課題】版を用いた印刷装置の印刷動作とプリンタ装置の印刷動作とを連係することができる印刷システム、印刷装置、制御装置、及び印刷プログラムを提供する。【解決手段】プリンタ制御部７６は、ジョブデータが入力（ステップ１００で肯定）されると、ジョブデータ内の識別コードＭを読取って（ステップ１０８）、表示するようオフセット制御部８６に指示する（ステップ１１０）。オフセット輪転機２０に現在セットされている刷版２６の識別コードＮを取得し（ステップ１１２）、識別コードＭと識別コードＮとが一致する場合（ステップ１１４で肯定）は、印刷開始要求情報を出力する（ステップ１２０）。一方、一致しない場合（ステップ１１４で否定）は、印刷開始要求情報を出力しない等のエラー処理（ステップ１１６）を実行する。【選択図】図５
2008143013.tif 000002
【特許請求の範囲】
【請求項１】
刷版用いて記録媒体上に刷版情報の印刷を行う刷版情報印刷部と、
該刷版情報印刷部により刷版情報が印刷される記録媒体と同じ記録媒体上に所定の可変情報の印刷を行う可変情報印刷部と、
前記刷版情報印刷部により印刷される刷版情報と、前記可変情報印刷部により印刷される可変情報とが、予め設定された対応関係で印刷が行われるように制御する制御手段と、
を有する、印刷システム。
【請求項２】
前記刷版情報印刷部により印刷される刷版情報と、前記可変情報印刷部により印刷される可変情報とが、予め設定された対応関係であるか否かを判定する判定手段を備え、
前記制御手段は、前記判定手段による判定結果に基づいて、前記刷版情報印刷部及び前記可変情報印刷部の印刷動作を制御する請求項１記載の印刷システム。
【請求項３】
前記制御手段は、前記判定手段により、前記刷版情報印刷部により印刷される刷版情報と、前記可変情報印刷部により印刷される可変情報とが予め設定された対応関係であると判定された場合に、前記刷版情報印刷部及び前記可変情報印刷部の印刷動作を可能とする請求項２記載の印刷システム。
【請求項４】
前記制御手段は、前記判定手段により、前記刷版情報印刷部により印刷される刷版情報と前記可変情報印刷部により印刷される可変情報とが予め設定された対応関係でないと判定された場合に、前記刷版情報印刷部及び可変情報印刷部の印刷動作を規制する請求項２又は請求項３記載の印刷システム。
【請求項５】
前記制御手段は、前記判定手段による判定結果に基づいて、前記刷版情報印刷部により印刷される刷版情報と前記可変情報印刷部により印刷される可変情報とが予め設定された対応関係でない旨、又は、前記刷版情報印刷部により印刷される刷版情報と可変情報とが予め設定された対応関係である旨を報知する請求項２乃至請求項４のいずれか１つに記載の印刷システム。
【請求項６】
複数の可変情報を記憶可能な記憶手段と、該記憶手段に記憶された複数の可変情報の印刷順序を変更する印刷順序変更手段と、を備え、
前記制御手段は、前記判定手段による判定結果に基づいて、前記印刷順序変更手段を制御する請求項２乃至請求項５のいずれか１つに記載の印刷システム。
【請求項７】
前記刷版情報印刷部に設置されている刷版に予め付与されている第１識別情報を取得する第１取得手段と、前記可変情報に予め付与されている第２識別情報を取得する第２取得手段と、を備え、
前記判定手段は、前記第１取得手段により取得された第１識別情報と、前記第２取得手段により取得された第２識別情報とに基づいて、前記刷版情報印刷部により印刷される刷版情報と、前記可変情報印刷部により印刷される可変情報とが、予め設定された対応関係であるか否かを判定する請求項２乃至請求項６のいずれか１つに記載の印刷システム。
【請求項８】
前記判定手段は、前記刷版情報印刷部に設置されている刷版に予め付与されている第１識別情報と、前記可変情報印刷部に予め付与されている第２識別情報とが同一であるか否かを判定する請求項７記載の印刷システム。
【請求項９】
複数の可変情報を記憶可能な記憶手段と、前記刷版情報印刷部に設置された刷版に予め付与されている識別情報を取得する取得手段と、を備え、
前記制御手段は、前記記憶手段に記憶された複数の可変情報の中から、前記取得手段により取得した識別情報と同一の識別情報が付与された可変情報を選択し、選択した可変情報に基づく印刷動作を前記可変情報印刷部に指示する請求項１記載の印刷システム。
【請求項１０】
刷版を用いて記録媒体上に刷版情報の印刷を行う刷版情報印刷部と、
前記刷版情報印刷部により印刷される刷版情報と、該刷版情報印刷部により刷版情報が印刷される記録媒体と同じ記録媒体上に所定の可変情報の印刷を行う可変情報印刷部により印刷される可変情報とが、予め設定された対応関係で印刷が行われるように制御する制御手段と、
を有する印刷装置。
【請求項１１】
刷版を用いて記録媒体上に刷版情報の印刷を行う刷版情報印刷部により刷版情報が印刷される記録媒体と同じ記録媒体上に所定の可変情報の印刷を行う可変情報印刷部と、
前記刷版情報印刷部により印刷される刷版情報と、前記可変情報部により印刷される可変情報とが、予め設定された対応関係で印刷が行われるように制御する制御手段と、
を有する印刷装置。
【請求項１２】
刷版を用いて記録媒体上に刷版情報の印刷を行う刷版情報印刷部により印刷される刷版情報と、該刷版情報印刷部により刷版情報が印刷される記録媒体と同じ記録媒体上に所定の可変情報の印刷を行う可変情報印刷部により印刷される可変情報とが、予め設定された対応関係で印刷が行われるように制御する制御手段、
を有する制御装置。
【請求項１３】
刷版情報印刷部により、刷版を用いて記録媒体上に刷版情報を印刷するステップと、
可変情報印刷部により、該刷版情報印刷部により刷版情報が印刷される記録媒体と同じ記録媒体上に所定の可変情報を印刷するステップと、
前記刷版情報印刷部により印刷される刷版情報と、前記可変情報部により印刷される可変情報とが、予め設定された対応関係で印刷が行われるように制御するステップと、
を有する処理をコンピュータで実行させる印刷プログラム。
【発明の詳細な説明】
【技術分野】
【０００１】
本発明は、印刷システム、印刷装置、制御装置、及び印刷プログラムに関する。
【背景技術】
【０００２】
一般に、文字や画像等の印刷情報をより高速で印刷することが求められている。オフセット印刷装置と同等の高速で、可変情報を印刷することができる印刷装置が知られている（例えば、特許文献１参照）。
【０００３】
この印刷装置では、複数の印刷ヘッドを用いて、用紙搬送方向に１ラインずつずれたラインを、異なる印刷ヘッドにより順に周期的に印刷する。
【特許文献１】特開平１１−１３８９１５号公報
【発明の開示】
【発明が解決しようとする課題】
【０００４】
本発明は、刷版を用いた印刷装置の印刷動作とプリンタ装置の印刷動作とを連係することができる印刷システム、印刷装置、制御装置、及び印刷プログラムを提供することを目的とする。
【課題を解決するための手段】
【０００５】
上記目的を達成するために、請求項１に記載の発明は、刷版を用いて記録媒体上に刷版情報の印刷を行う刷版情報印刷部と、該刷版情報印刷部により刷版情報が印刷される記録媒体と同じ記録媒体上に所定の可変情報の印刷を行う可変情報印刷部と、前記刷版情報印刷部により印刷される刷版情報と、前記可変情報印刷部により印刷される可変情報とが、予め設定された対応関係で印刷が行われるように制御する制御手段と、を有する。
【０００６】
請求項２記載の発明は、請求項１の発明において、前記刷版情報印刷部により印刷される刷版情報と、前記可変情報印刷部により印刷される可変情報とが、予め設定された対応関係であるか否かを判定する判定手段を備え、前記制御手段は、前記判定手段による判定結果に基づいて、前記刷版情報印刷部及び前記可変情報印刷部の印刷動作を制御する。
【０００７】
請求項３記載の発明は、請求項２の発明の制御手段を、前記判定手段により、前記刷版情報印刷部により印刷される刷版情報と、前記可変情報印刷部により印刷される可変情報とが予め設定された対応関係であると判定された場合に、前記刷版情報印刷部及び前記可変情報印刷部の印刷動作を可能とするようにしたものである。
【０００８】
請求項４記載の発明は、請求項２又は請求項３の発明の制御手段を、前記判定手段により、前記刷版情報印刷部により印刷される刷版情報と前記可変情報印刷部により印刷される可変情報とが予め設定された対応関係でないと判定された場合に、前記刷版情報印刷部及び可変情報印刷部の印刷動作を規制するようにしたものである。
【０００９】
請求項５記載の発明は、請求項２の発明乃至請求項４の発明のいずれか１つの前記制御手段を、前記判定手段による判定結果に基づいて、前記刷版情報印刷部により印刷される刷版情報と前記可変情報印刷部により印刷される可変情報とが予め設定された対応関係でない旨、又は、前記刷版情報印刷部により印刷される刷版情報と可変情報とが予め設定された対応関係である旨を報知するようにしたものである。
【００１０】
請求項６記載の発明は、請求項２の発明乃至請求項５の発明のいずれか１つにおいて、複数の可変情報を記憶可能な記憶手段と、該記憶手段に記憶された複数の可変情報の印刷順序を変更する印刷順序変更手段と、を備え、前記制御手段は、前記判定手段による判定結果に基づいて、前記印刷順序変更手段を制御するものである。
【００１１】
請求項７記載の発明は、請求項２の発明乃至請求項６の発明のいずれか１つにおいて、前記刷版情報印刷部に設置されている刷版に予め付与されている第１識別情報を取得する第１取得手段と、前記可変情報に予め付与されている第２識別情報を取得する第２取得手段と、を備え、前記判定手段は、前記第１取得手段により取得された第１識別情報と、前記第２取得手段により取得された第２識別情報とに基づいて、前記刷版情報印刷部により印刷される刷版情報と、前記可変情報印刷部により印刷される可変情報とが、予め設定された対応関係であるか否かを判定するものである。
【００１２】
請求項８記載の発明は、請求項７の発明の前記判定手段を、前記刷版情報印刷部に設置されている刷版に予め付与されている第１識別情報と、前記可変情報印刷部に予め付与されている第２識別情報とが同一であるか否かを判定するようにしたものである。
【００１３】
請求項９記載の発明は、請求項１の発明において、複数の可変情報を記憶可能な記憶手段と、前記刷版情報印刷部に設置された刷版に予め付与されている識別情報を取得する取得手段と、を備え、前記制御手段は、前記記憶手段に記憶された複数の可変情報の中から、前記取得手段により取得した識別情報と同一の識別情報が付与された可変情報を選択し、選択した可変情報に基づく印刷動作を前記可変情報印刷部に指示するようにしたものである。
【００１４】
請求項１０記載の発明は、刷版を用いて記録媒体上に刷版情報の印刷を行う刷版情報印刷部と、前記刷版情報印刷部により印刷される刷版情報と、該刷版情報印刷部により刷版情報が印刷される記録媒体と同じ記録媒体上に所定の可変情報の印刷を行う可変情報印刷部により印刷される可変情報とが、予め設定された対応関係で印刷が行われるように制御する制御手段と、を有する。
【００１５】
請求項１１記載の発明は、刷版を用いて記録媒体上に刷版情報の印刷を行う刷版情報印刷部により刷版情報が印刷される記録媒体と同じ記録媒体上に所定の可変情報の印刷を行う可変情報印刷部と、前記刷版情報印刷部により印刷される刷版情報と、前記可変情報部により印刷される可変情報とが、予め設定された対応関係で印刷が行われるように制御する制御手段と、を有する。
【００１６】
請求項１２記載の発明は、刷版を用いて記録媒体上に刷版情報の印刷を行う刷版情報印刷部により印刷される刷版情報と、該刷版情報印刷部により刷版情報が印刷される記録媒体と同じ記録媒体上に所定の可変情報の印刷を行う可変情報印刷部により印刷される可変情報とが、予め設定された対応関係で印刷が行われるように制御する制御手段、を有する。
【００１７】
請求項１３記載の発明は、刷版情報印刷部により、刷版を用いて記録媒体上に刷版情報を印刷するステップと、可変情報印刷部により、該刷版情報印刷部により刷版情報が印刷される記録媒体と同じ記録媒体上に所定の可変情報を印刷するステップと、前記刷版情報印刷部により印刷される刷版情報と、前記可変情報部により印刷される可変情報とが、予め設定された対応関係で印刷が行われるように制御するステップと、を有する処理をコンピュータで実行させる。
【発明の効果】
【００１８】
以上説明したように、請求項１記載の発明によれば、種類の異なる印刷装置の印刷動作を連係させることができる、という効果が得られる。
【００１９】
請求項２記載の発明によれば、オペレータによる印刷ミスを抑止することができる、という効果が得られる。
【００２０】
請求項３記載の発明によれば、オペレータによる印刷ミスを抑止することができる、という効果が得られる。
【００２１】
請求項４記載の発明によれば、オペレータによる印刷ミスを抑止することができる、という効果が得られる。
【００２２】
請求項５記載の発明によれば、オペレータによる印刷ミスを抑止することができる、という効果が得られる。
【００２３】
請求項６記載の発明によれば、オペレータによる印刷ミスを抑止することができる、という効果が得られる。
【００２４】
請求項７記載の発明によれば、オペレータによる印刷ミスを抑止することができる、という効果が得られる。
【００２５】
請求項８記載の発明によれば、オペレータによる印刷ミスを抑止することができる、という効果が得られる。
【００２６】
請求項９記載の発明によれば、オペレータによる印刷ミスを抑止することができる、という効果が得られる。
【００２７】
請求項１０記載の発明によれば、種類の異なる印刷装置の印刷動作を連係させることができる、という効果が得られる。
【００２８】
請求項１１記載の発明によれば、種類の異なる印刷装置の印刷動作を連係させることができる、という効果が得られる。
【００２９】
請求項１２記載の発明によれば、種類の異なる印刷装置の印刷動作を連係させることができる、という効果が得られる。
【００３０】
請求項１３記載の発明によれば、種類の異なる印刷装置の印刷動作を連係させることができる、という効果が得られる。
【発明を実施するための最良の形態】
【００３１】
［第１の実施の形態］
以下、図面を参照して本発明の実施の形態を詳細に説明する。
【００３２】
図１は、本実施の形態に係る印刷システム１０の概略構成を示す概略図である。印刷システム１０は、用紙Ｐを矢印Ａ方向に給紙する給紙装置１４、刷版２６により固定データ（刷版情報、詳細後述）を印刷するオフセット輪転機２０、像保持体４６上に静電潜像を形成し、可変データ（可変情報、詳細後述）を印刷するプリンタ装置４０、及び後処理装置１６を備えている。
【００３３】
オフセット輪転機２０は、オペレータパネル２２とオフセット印刷部２１とを含んで構成されている。オペレータパネル２２は、現在セットされている刷版２６の識別コード（識別情報、詳細後述）等の印刷情報を表示する。オフセット印刷部２１は、ブラック（Ｋ）、イエロー（Ｙ）、マゼンタ（Ｍ）、シアン（Ｃ）の各色の画像を用紙Ｐ上に順次印刷し、カラー画像印刷を行うために、各色の画像が形成された刷版２６Ｋ、２６Ｙ、２６Ｍ、２６Ｃが各々刷胴２４Ｋ、２４Ｙ、２４Ｍ、２４Ｃにセットされた印刷部２３Ｋ、２３Ｙ、２３Ｍ、２３Ｃが用紙Ｐの搬送方向上流側から並んで配置されている。
【００３４】
図２を参照して、印刷部２３について説明する。なお、ＫＹＭＣを区別する必要がある場合は、符号の後に、Ｋ、Ｙ、Ｍ、Ｃの何れかを付して説明し、ＫＹＭＣを区別する必要が無い場合は、Ｋ、Ｙ、Ｍ、Ｃを省略する。
【００３５】
印刷部２３は、各色の画像が形成された刷版２６がセットされた刷胴２４の周囲にインキングロール３０、湿しローラ３２、ブランケット３６が配設されている。刷版２６には、各色の画像が予め形成されている。湿しローラ３２は、刷版２６の版面の非画線部を湿し水３４で湿らせる。インキングロール３０は、該刷版２６の版面に油性インキ２８をつける。これにより、水と油の反発作用によって、画線部にのみ油性インキ２８が付着する。刷版２６の版面に付着した油性インキ２８は、刷胴２４の回転方向Ｂと逆方向（回転方向Ｃ）に回転するブランケット３６の表面に転写され、転写された油性インク２８が用紙Ｐ上に印刷される。次の色の印刷部２３では、用紙Ｐ上に印刷された画像に重ねて次色の画像を印刷する。なお、本実施の形態のオフセット輪転機２０のオフセット印刷部２１は、いわゆるＢＢタイプを用いており、用紙Ｐの両面に印刷を行うために各色毎に印刷部２３を用紙Ｐの両面（用紙Ｐを挟んだ上下方向）が配置されている。
【００３６】
なお、本実施の形態では、オフセット輪転機を用いているが、これに限らずオフセット枚葉印刷機、凸版印刷機、凹版印刷機、及び孔版印刷機等、刷版を用いて固定データ（刷版情報、詳細後述）に基づく画像を印刷することができる印刷機であればよい。
【００３７】
プリンタ装置４０は、オペレータパネル４２と、プリンタ部４１とを含んで構成されている。オペレータパネル４２は、オフセット輪転機２０に現在セットされている刷版２６の識別コード（識別情報、詳細後述）等の印刷情報を表示する。プリンタ部４１は、検出センサ４４、単色の画像（本実施の形態では、Ｋ（ブラック））を用紙Ｐ上に形成する画像形成部４３、及び定着器４８が、両面印刷を行うために、用紙Ｐを挟んで用紙Ｐの両面に配置されている。
【００３８】
検出センサ４４は、オフセット輪転機２０で印刷された固定データの画像に重ね合わせて可変データ（可変情報、詳細後述）の画像を印刷するために、用紙Ｐ上に形成されているマークを読取る事により、例えば、ページ毎の区切り等を検出し、画像を形成する位置を合わせるためのものである。検出センサ４４には、例えば光学センサ等があるが、用紙Ｐ上に形成されたマークを読取ることができればよく、これに限定されない。
【００３９】
図３を参照して画像形成部４３を説明する。画像形成部４３は、像保持体４６の周囲に、用紙Ｐを像保持体４６に接触させるための転写器５０、クリーナー５２、プレチャージャー５４、露光ＬＥＤ５６、及び現像機５８が配設されている。プレチャージャー５４は、像保持体４６の表面を一様に帯電させる。像保持体４６は、ステッピングモータ（図示省略）等駆動装置の駆動により、矢印Ｄ方向に所定速度で回転される。露光ＬＥＤは、画像データ（可変情報、詳細後述）に基づいて該回転像保持体４６の表面をライン露光する。これにより、像保持体４６の表面上に潜像が形成される。
【００４０】
現像機５８は、ロール６０が回転することにより、トナー及び現像剤が含まれる現像液５９を像保持体４６の表面に付与する。これにより、像保持体４６の表面上に形成された潜像にトナーが供給されて現像される。そして、転写器５０により像保持体４６の表面上に形成されたトナー像が用紙Ｐに転写される。クリーナー５２は、像保持体４６の表面に付着するトナーをクリーニングする。
【００４１】
定着機４８は、用紙Ｐの表面にフラッシュ光を照射させる。これによって、用紙Ｐ上の未定着トナーが加熱されて溶融し、その後、凝固して用紙Ｐに定着する。
【００４２】
なお、本実施の形態のプリンタ装置に限らず、インクジェット方式プリンタ装置等でも良く、可変データに基づく画像を印刷することができるプリンタ装置であればよい。
【００４３】
後処理装置１６は、オフセット輪転機２０及びプリンタ装置４０により画像が印刷された用紙Ｐの後処理を行う。例えば、用紙Ｐの乾燥、冷却、裁断等を行う。
【００４４】
図４は、本実施の形態に係る印刷システム１０の制御系ブロック図である。ホスト装置７０には受信部７２が接続されており、受信部７２には記憶部７４が接続されており、記憶部７４はプリンタ制御部７６に接続されている。受信部７２では、ホスト装置７０から入力された画像データ（可変情報）及び識別コードを含むジョブデータを受信し、記憶部７４は、受信されたジョブデータを記憶する。なお、本実施の形態では、ホスト装置７０からジョブデータを１つ受信した場合を示しており、例えば図７に示すジョブデータ８０及びジョブデータ８４の何れか一方のみを受信した場合などである。
【００４５】
プリンタ装置４０の印刷動作を制御するプリンタ制御部７６には、オペレータパネル４２が接続され、オペレータの操作によって印刷等に関する指示がなされると共に、印刷時の情報をオペレータに報知するようになっている。
【００４６】
プリンタ制御部７６は、図示しないＣＰＵ、ＲＯＭ、ＲＡＭ、及びＨＤＤを含むメモリ等を備えている。ＣＰＵでは、詳細を後述するプリンタ制御ルーチンが実行される。プリンタ制御ルーチンのプログラムは記憶媒体としてのＲＯＭに記憶されている。
【００４７】
また、プリンタ制御部７６には、オフセット輪転機２０の印刷動作を制御するオフセット制御部８６が接続されており、用紙Ｐ上に所望の画像を形成するための印刷情報が入出力される。さらに、プリンタ制御部７６には、用紙Ｐに可変データの画像を印刷するプリンタ部４１が接続されている。
【００４８】
一方、オフセット制御部８６には、オペレータパネル２２が接続され、オペレータの操作によって印刷等に関する指示がなされると共に、印刷時の情報をオペレータに報知するようになっている。
【００４９】
オフセット制御部８６は、図示しないＣＰＵ、ＲＯＭ、ＲＡＭ、及びＨＤＤを含むメモリ等を備えている。ＣＰＵでは、詳細を後述するオフセット印刷制御ルーチンが実行される。制御ルーチンのプログラムは記憶媒体としてのＲＯＭに記憶されている。
【００５０】
また、オフセット制御部８６には、用紙Ｐに固定データの画像を印刷するオフセット印刷部２１が接続されている。
【００５１】
次に、本実施の形態の印刷紙システム１０において実行される制御ルーチンを図を参照して説明する。図５に示す処理は、プリンタ制御部７６のＣＰＵで実行される処理であり、例えば、プリンタ装置４０の電源投入時やホスト装置７０から出力されたジョブデータを受信部７２が受信したときに実行される。
【００５２】
ここで本実施の形態の画像データについて説明する。本実施の形態の画像データには、固定データ（刷版情報）と可変データ（可変情報）と２種類の画像データがある。固定データとは、１回のジョブ印刷処理（制御ルーチンの実行）において、用紙Ｐ上に同一画像を形成するための画像データであり、例えば、全ページ同一の画像を形成するための画像データをいう。具体的には、刷版２６により印刷される刷版情報をいう。固定データに基づく画像のより具体的な例としては、固定データ画像７８（図７参照）や固定データ画像８８（図８参照）等がある。
【００５３】
一方、可変データとは、１回のジョブ印刷処理（制御ルーチンの実行）において、用紙Ｐ上に形成される画像が異なる場合の画像データであり、例えば、ページ毎に異なった画像を形成するための異なった画像データの集合をいう。可変データに基づく画像のより具体的な例としては、可変データ画像８２（ａ）、８２（ｂ）、８２（ｃ）を含む可変データ８０（図７参照）や可変データ画像８６（ａ）、８６（ｂ）、８６（ｃ）を含む可変データ８４（図７参照）、可変データ画像９２（ａ）、９２（ｂ）、９２（ｃ）を含む可変データ９０（図８参照）や可変データ画像９６（ａ）、９６（ｂ）、９６（ｃ）を含む可変データ９４（図８参照）等がある。
【００５４】
まず、プリンタ制御部７６に指示が入力されると、ステップ１００では、ホスト装置７０からジョブデータが入力されたか否かを判断する。否定判断の場合は、待機状態になり、ジョブデータを受信部７２で受信し、記憶部７４にジョブデータが記憶された状態になると肯定判断とされステップ１０２へ進む。ステップ１０２では、印刷準備指示をオフセット制御部８６に出力する。
【００５５】
次のステップ１０４では、プリント準備指示情報が入力されたか否かを判断する。本実施の形態のプリント準備指示情報とは例えば、次のような情報であって、プリンタ部４１で画像を形成する準備及びオフセット印刷部２１の印刷動作とプリンタ装置４０の印刷動作とを連係させるための情報である。オペレータパネル４２から入力される情報であって、用紙詰まり、用紙切れ等プリンタの状態を把握し印刷準備が整っているか否か（レディかノットレディか）のレディ切り替え情報。オフセット制御部８６から入力される情報であって、実行する印刷のモードが試し刷りモードか本印刷モードの何れかを表す印刷モード切り替え情報や、オペレータパネル２２の操作をオペレータパネル４２でも可能にするためのオペレータパネルキーオペレーション情報等である。否定されるとステップ１０８へ進む。
【００５６】
一方、プリント準備指示情報が入力された場合は、肯定判断となり、ステップ１０６へ進む。ステップ１０６では、レディ切り替え情報の場合は、レディならそのままステップ１０８へ進み、ノットレディならレディ状態になるまで待機する。また、印刷モード切り替え情報の場合は、本印刷モードならステップ１０８へ進み、試し刷りモードなら本印刷モードになるまで待機する等、それぞれの情報に応じたプリント準備処理を行った後、ステップ１０８へ進む。
【００５７】
ステップ１０８では、ジョブデータに含まれる識別コードＭを記憶部７４から読取って、次のステップ１１０では、読取った識別コードＭをオペレータパネル４２及びオペレータパネル２２に表示する。なお、識別コードＭの表示は何れか一方のオペレータパネルのみに表示してもよい。
【００５８】
次のステップ１１２では、オフセット輪転機２０に現在セットされている刷版２６の識別コードＮを取得する。本実施の形態では、予め、刷版２６には、識別コードが付与されており、識別コードＮの取得は、オフセット制御部８６から出力される識別コードＮを入力することにより実施している。なお、識別コードＮの取得はこれに限らず、図示しないメモリ等に予めオペレータによって記憶させられている識別コードを読取るようにしてもよい。
【００５９】
そして、次のステップ１１４では、識別コードＭと識別コードＮとが一致するか否かを判断する。否定されるとステップ１１６へ進みエラー処理を行う。該エラー処理とは、本実施の形態では、例えば、プリンタ装置４０の印刷動作を待機状態にし、識別コードが異なっている旨をユーザに報知するためにオフセット輪転機２０のオペレータパネル２２に、識別コードが異なっている旨を表示させる等の処理である。なお、本実施の形態では、識別コードが異なっている旨をオペレータパネル２２に表示させているが、スピーカ等を配設し、音声により報知する等しても良い。また、識別コードが異なっている場合だけでなく、一致する場合にもその旨をユーザに報知するようにしても良い。
【００６０】
次のステップ１１８では、オフセット輪転機２０にセットされている刷版２６が交換されたか否かを判断する。交換されたか否かの判断は、例えば、刷版２６を交換した旨の情報をオフセット制御部８６から取得してもよいし、図示しないタイマー等により、所定時間経過した場合に刷版２６を交換したものとみなしてもよい。交換された場合は肯定されてステップ１０８に戻り、再びジョブデータの識別コードＭと刷版２６の識別コードＮとが一致するか否かの判断を行う。一方、否定されると本処理を終了する。
【００６１】
一方、ステップ１１４で肯定されるとステップ１２０へ進む。ステップ１２０では、印刷開始要求情報をオフセット制御部８６に出力する。本実施の形態では、印刷開始要求情報とは、オフセット輪転機２０による用紙Ｐ上への固定画像の印刷の開始を要求する情報である。
【００６２】
次のステップ１２２では、オフセット輪転機２０による印刷速度とプリンタ装置４０による印刷速度を一致させるために搬送同期パルス信号をオフセット制御部８６に出力する。搬送同期パルス信号とは、プリンタ装置４０の印刷速度にオフセット輪転機２０の印刷速度を一致させるための信号であり、単位時間あたりのパルス数を数えることにより速度を一致させている。なお、本実施の形態では、プリンタ装置４０の速度に輪転機２０の速度を合わせているが、輪転機２０の速度にプリンタ装置４０の速度を合わせるようにしても良い。各々の印刷速度に基づいて何れの速度に合わせるかを決めることが好ましい。
【００６３】
次のステップ１２４では、プリンタ部４１にプリント開始指示をする。これにより、プリンタ部４１は、オフセット輪転機２０で固定データに基づく固定データ画像が印刷された用紙Ｐ上の画像に重ね合わせて、可変データに基づく可変データ画像を形成する。
【００６４】
プリント部４１で可変データに基づく画像をプリント中の次のステップ１２６では、プリント動作指示情報が入力されたか否かを判断する。本実施の形態のプリント動作指示情報とは、オフセット印刷部２１の印刷動作とプリンタ装置４０の印刷動作とを連係させるための情報であって、例えば、オフセット制御部８６から入力される情報であって、輪転機２０の印刷停止を表す輪転機停止情報等である。否定されるとステップ１３０へ進む。
【００６５】
一方、プリント動作指示情報が入力された場合は、肯定判断となり、ステップ１２８へ進む。ステップ１２８では、例えば、上述の輪転機停止情報の場合は、プリンタ部４１での画像の形成を抑止し、オフセット輪転機２０から排出される用紙Ｐの搬送のみを行った後、ステップ１３０へ進む。
【００６６】
ステップ１３０では、可変データに基づく可変データ画像の形成を終了し、プリントを終了するか否かを判断する。プリントを終了するか否かの判断は、例えば、オペレータパネル４２から入力されるオペレータの終了指示、所定数の画像形成の終了等に基づいて判断する。否定されるとステップ１２６に戻り可変データ画像の形成を続行し、肯定されると、ステップ１３２に進む。ステップ１３２では、印刷終了指示として、オフセット制御部８６にプリンタ停止情報を出力した後、本処理を終了する。
【００６７】
一方、オフセット制御部８６のＣＰＵで実行される処理を図６に示す。この処理フローは例えば、オフセット輪転機２０の電源投入時等に実行される。
【００６８】
まず、オフセット制御部８６に指示が入力されると、ステップ２００では、印刷準備指示（ステップ１０２に対応）がプリンタ制御部７６から入力されたか否かを判断する。否定判断の場合は、待機状態になり、入力されると肯定判断されステップ２０２へ進む。ステップ２０２では、印刷準備指示情報が入力されたか否かを判断する。本実施の形態の印刷準備指示情報とは例えば、次のような情報であって、オフセット印刷部２１で画像を印刷する準備及びオフセット印刷部２１の印刷動作とプリンタ装置４０の印刷動作とを連係させるための情報である。オペレータパネル２２から入力される情報であって、用紙詰まり、用紙切れ等オフセット輪転機２０の状態を把握し印刷準備が整っているか否か（レディかノットレディか）のレディ切り替え情報や、試し刷りか本刷りかを表す印刷モード切替え情報。プリンタ制御部７６から入力される、オペレータパネル４２の操作をオペレータパネル２２でも可能にするためのオペレータパネルキーオペレーション情報や、プリンタ装置４０に入力されたジョブデータ内の識別コードＭをオペレータパネルに表示する指示情報等である。否定されるとステップ２０６へ進む。
【００６９】
一方、印刷準備情報が入力された場合は、肯定判断となり、ステップ２０４へ進む。ステップ２０４では、レディ切り替え情報の場合は、レディならそのままステップ２０６へ進み、ノットレディならレディ状態になるまで待機する。また、印刷モード切替え情報の場合は、印刷モード切替え情報をプリンタ制御部７６に出力した後、本印刷モードならステップ２０６へ進み、試し刷りモードなら所定の試し刷り動作を実行した後、ステップ２０６へ進む。さらにまた、ジョブデータ内の識別コードＭが入力された場合は、識別コードＭをオペレータパネル２２に表示した後、ステップ２０６へ進む。
【００７０】
次のステップ２０６では、オフセット輪転機２０に現在セットされている刷版２６の識別コードＮを要求する指示がプリンタ制御部７６から入力されたか否かを判断する。否定されると待機状態になり、肯定される（ステップ１１２に対応）と、本実施の形態では、刷版２６に付与されている識別コードＮを図示しないセンサ等により読取って、次のステップ２０８では、読取った識別コードＮを表す実装刷版識別コード情報をプリンタ制御部７６に出力する。
【００７１】
そして、次のステップ２１０では、印刷エラー処理指示（ステップ１１６に対応）が入力されたか否かを判断する。肯定されるとステップ２１２へ進み、例えば、識別コードが異なっている旨の表示をオペレータパネル２２に表示する等の処理を行った後、ステップ２０６に戻る。否定されるとステップ２１４へ進み、ステップ２１４では、印刷開始要求情報（ステップ１２０に対応）がプリンタ制御部７６から入力されたか否かを判断する。否定されると待機状態になり、肯定されるとステップ２１６へ進む。
【００７２】
ステップ２１６では、搬送同期パルス信号（ステップ１２２に対応）がプリンタ制御部７６から入力されたか否かを判断する。否定されると待機状態になり、肯定されると次のステップ２１８では、搬送を同期させる処理を行う。即ち、入力されたパルス信号に基づいて、用紙Ｐの搬送速度及びオフセット印刷部２１での固定データに基づく固定データ画像の印刷速度を合わせる。
【００７３】
次のステップ２２０では、オフセット印刷部２１に印刷開始指示をする。これにより、オフセット印刷部２１は、固定データに基づく固定データ画像を用紙Ｐ上に印刷する。
【００７４】
オフセット印刷部２１で固定データに基づく画像を印刷中の次のステップ２２２では、印刷動作指示情報が入力されたか否かを判断する。本実施の形態の印刷動作指示情報とは、オフセット印刷部２１の印刷動作とプリンタ装置４０の印刷動作とを連係させるための情報であって、例えば、プリンタ制御部７６から入力される情報であって、プリンタ装置４０の画像形成の停止を表すプリンタ停止情報等である。否定されるとステップ２２６へ進む。
【００７５】
一方、印刷動作指示情報が入力された場合は、肯定判断となり、ステップ２２４へ進む。ステップ２２４では、例えば、上述のプリンタ停止情報の場合は、所定の停止シーケンス（輪転機を停止させるための所定の処理）を行った後、ステップ２２６へ進む。
【００７６】
ステップ２２６では、固定データに基づく画像の印刷を終了するか否かを判断する。印刷を終了するか否かの判断は、例えば、オペレータパネル４２から入力されるオペレータの終了指示、所定数の画像形成の終了、プリンタ制御部７６から入力されるプリンタ停止情報（ステップ１３２に対応）等に基づいて判断する。否定されるとステップ２２２に戻り固定データ画像の印刷を続行し、肯定されると、本処理を終了する。
【００７７】
このように、図５に示した処理フローをプリンタ装置４０のプリンタ制御部７６で実施し、図６に示した処理フローをオフセット輪転機２０のオフセット制御部８６で実施することにより、用紙Ｐ上に固定データに基づく固定データ画像と可変データに基づく可変データ画像とが重ね合わされた最終画像が印刷される。
【００７８】
なお、本実施の形態では、刷版２６の識別コードＮと可変データに対応する識別コードＭとが一致する場合に印刷を実施するようにオフセット印刷部２１とプリンタ部４１とを制御しているが、識別コードＮに対応する可変データの識別コードが複数有る場合は、予め対応関係を記憶部７４等に記憶させておき、該対応関係に基づいて印刷を実施するようにしても良い。
【００７９】
また、本実施の形態では、プリンタ制御部７６がオフセット輪転機２０の印刷動作の指示をオフセット制御部８６に対して指示しているが、これに限らず、オフセット制御部８６がプリンタ装置４０の印刷動作の指示をプリンタ制御部７６に対して指示するようにしても良い。
【００８０】
さらに、本実施の形態では、オフセット輪転機２０を用紙Ｐの搬送方向上流側、プリンタ装置４０を下流側に設けているが、逆の配置でも良い。なお、プリンタ装置４０でページ合わせ（オフセット輪転機２０で形成された固定データ画像に可変データ画像を重ねる位置を合わせる）を実施するのが好ましいため、オフセット輪転機２０を上流側に配置することが好ましい。
［第２の実施の形態］
本実施の形態では、記憶部７４が複数のジョブデータを記憶可能であり、プリンタ装置４０の受信部７２で受信した複数のジョブデータが記憶部７４に記憶されている場合について説明する。例えば、ジョブデータ８０、ジョブデータ８４、ジョブデータ９０、及びジョブデータ９４が記憶されている場合等である。この場合、通常では、プリンタ装置４０にジョブデータが入力された順等、プリンタ装置４０等により規定された印刷順序で印刷を実施することが出来るが、本実施の形態では、現在セットされている刷版２６に応じて印刷順序を変更する場合について説明する。
【００８１】
本実施の形態は、第１の実施の形態と略同様の構成であるので、同一部分には、同一符号を付して詳細な説明は省略する。
【００８２】
本実施の形態の印刷紙システム１０において実行される制御ルーチンを図を参照して説明する。図９に示す処理は、プリンタ制御部７６のＣＰＵで実行される処理であり、例えば、プリンタ装置４０の電源投入時やホスト装置７０から出力されたジョブデータを受信部７２が受信したときに実行される。
【００８３】
プリンタ制御部７６に指示が入力されると、ステップ３００では、ホスト装置７０から少なくとも１つ以上のジョブデータが入力されたか否かを判断する。否定判断の場合は、待機状態になり、ジョブデータを受信部７２で受信し、記憶部７４に１つ以上のジョブデータが記憶された状態になると肯定判断されてステップ１０２へ進む。ステップ１０２では、印刷準備指示をオフセット制御部８６に出力して、ステップ１０４へ進み、第１の実施の形態と同様に、ステップ１０４、ステップ１０６、及びステップ１１２の処理を行う。
【００８４】
次のステップ３０２では、記憶部７４に記憶されている少なくとも１つ以上（本実施の形態では４つ）のジョブデータ内の識別コードＹｎ（ｎ＝１〜記憶されているジョブデータの数、本実施の形態では４）を取得する。
【００８５】
次のステップ３０４では、識別コードＹｎの中に、ステップ１１２で取得したオフセット輪転機２０に現在セットされている刷版２６の識別コードＸと一致するものがあるか否かを判断し、否定されるとステップ３１０へ進む。一方、一致するものがある場合、肯定され、ステップ３０６へ進む。本実施の形態の場合、オフセット輪転機２０に現在セットされている刷版２６の識別コードＸ＝識別コードＮ（固定データ画像７８を印刷するための刷版Ａの識別コード）であれば、ジョブデータ８０やジョブデータ８４に含まれる識別コードＭと一致する。また、識別コードＸ＝識別コードＮ’ （固定データ画像８８を印刷するための刷版Ｂの識別コード）であれば、ジョブデータ９０やジョブデータ９４に含まれる識別コードＭ’と一致する。
【００８６】
次のステップ３０６では、識別コードＸ＝識別コードＹｎである識別コードＹｎに対応する画像データ（可変データ）をジョブデータから読取る。なお、上述した本実施の形態の場合のように、複数の識別コードＹｎが識別コードＸと一致する場合は、例えば、プリンタ装置４０に入力された順等、任意の順を定めておき、該当するジョブデータを読取り、ステップ１２０、ステップ１２２の処理を行う。
【００８７】
次のステップ３０８では、ステップ３０６で読取った画像データの画像形成の開始をプリンタ部４１に指示する。
【００８８】
さらに、ステップ１２６、ステップ１２８、及びステップ１３０の処理の後、ステップ３１０へ進む。ステップ３１０では上述のステップ１３２の処理に加えて、ステップ３０４で否定判定となった場合、印刷終了を指示する処理を行い、本処理を終了する。
【００８９】
一方、オフセット制御部８６のＣＰＵで実行される処理を図１０に示す。この処理フローは例えば、オフセット輪転機２０の電源投入時等に実行される。
【００９０】
まず、オフセット制御部８６に指示が入力されると、ステップ２００へ進み、ステップ２００、ステップ２０２、ステップ２０４、ステップ２０６、及びステップ２０８の処理を行う。
【００９１】
次のステップ４００では、印刷終了指示が入力されたか否かを判断する。ステップ３０４で否定判断の場合、ステップ３１０により印刷終了指示が入力されるので肯定され、本処理を終了する。一方、否定されると、ステップ２１４に進み、ステップ２１４乃至ステップ２２６の処理を行った後、本処理を終了する。
【００９２】
なお、本実施の形態では、プリンタ装置４０のプリンタ制御部７６で読取ったジョブデータ内の識別コードとオフセット制御部８６から取得した識別コードとが一致しない場合は、本印刷システムによる印刷処理を終了するが、これに限らず、オフセット輪転機２０のオペレータパネル２２にプリンタ制御部７６が読取ったジョブデータ内の識別コードを表示させるようにし、例えば、オペレータに刷版２６の交換を促すようにしてもよい。
【００９３】
このように、図９に示した処理フローをプリンタ装置４０のプリンタ制御部７６で実施し、図１０に示した処理フローをオフセット輪転機２０のオフセット制御部８６で実施することにより、現在オフセット輪転機２０にセットされている刷版２６を用いた固定データ画像と可変データに基づく可変データ画像とが重ね合わされた最終画像が印刷される。
【図面の簡単な説明】
【００９４】
【図１】本発明の第１の実施の形態に係る印刷システムの概略構成を示す概略図である。
【図２】本発明の第１の実施の形態に係るオフセット輪転機の印刷部の主要構成を示す図である。
【図３】本発明の第１の実施の形態に係るプリンタ装置の画像形成部の主要構成を示す図である。
【図４】本発明の第１の実施の形態に係る印刷システムの制御系のブロック図である。
【図５】本発明の第１の実施の形態に係る印刷システムのプリンタ制御部で実行される制御処理のフローである。
【図６】本発明の第１の実施の形態に係る印刷システムのオフセット制御部で実行される制御処理のフローである。
【図７】本発明の実施の形態に係る固定データに基づく固定データ画像と可変データに基づく可変データ画像とを重ね合わせた最終画像の一例を説明する説明図である。
【図８】本発明の実施の形態に係る固定データに基づく固定データ画像と可変データに基づく可変データ画像とを重ね合わせた最終画像の一例を説明する説明図である。
【図９】本発明の第２の実施の形態に係る印刷システムのプリンタ制御部で実行される制御処理のフローである。
【図１０】本発明の第２の実施の形態に係る印刷システムのオフセット制御部で実行される制御処理のフローである。
【符号の説明】
【００９５】
１０  印刷システム
２０  オフセット輪転機
２１  オフセット印刷部
２２  オペレータパネル
４０  プリンタ装置
４１  プリンタ部
４２  オペレータパネル
７０  ホスト装置
７２  受信部
７４  記憶部
７６  プリンタ制御部
８６  オフセット制御部
【図１】
2008143013.tif 000003
【図２】
2008143013.tif 000004
【図３】
2008143013.tif 000005
【図４】
2008143013.tif 000006
【図５】
2008143013.tif 000007
【図６】
2008143013.tif 000008
【図７】
2008143013.tif 000009
【図８】
2008143013.tif 000010
【図９】
2008143013.tif 000011
【図１０】
2008143013.tif 000012